(57)【要約】本発明は、記録キャリアの複製検出方法に関する。一実施例では、コンテンツ一覧エントリが、検出可能な規格外の方法により記録キャリア上でマスタ処理される。すなわち、コンテンツ一覧エントリのシーケンスがミックスされるか、あるいは繰り返し数が変更される。他の実施例によると、追加的同期シンボルが、記録キャリアのオリジナルと複製とを識別するため、読み出し装置により検出可能な１以上のサブコードフレームで利用される。
2005523545.tif 000002
【特許請求の範囲】
【請求項１】
コンテンツ一覧エントリがマスタ処理される記録キャリアの複製検出方法であって、前記コンテンツ一覧エントリは検出可能な規格外の方法により前記記録キャリアにマスタ処理されることを特徴とする方法。
【請求項２】
請求項１記載の複製検出方法であって、前記コンテンツ一覧エントリのシーケンスは、標準的なシーケンスと比較してミックスされることを特徴とする方法。
【請求項３】
請求項１記載の複製検出方法であって、前記コンテンツ一覧エントリの繰り返し数は、標準的な繰り返し数と比較して変更されることを特徴とする方法。
【請求項４】
請求項１記載の複製検出方法であって、前記コンテンツ一覧エントリは、検出可能な規格外の方法によりマスタ処理された前記記録キャリア上の所定の領域にのみ配置されることを特徴とする方法。
【請求項５】
請求項１記載の複製検出方法であって、さらに、
各自が内部の所定の位置に同期シンボルとデータシンボルを有するサブコードチャネルの複数のサブコードフレームに前記記録キャリア上のサブコードデータを格納するステップと、
データシンボルに与えられた位置における少なくとも１つのサブコードフレームに任意数の追加的同期シンボルを、前記サブコードチャネルの読み出し中、前記追加的同期シンボルの有無を示すチェック信号を生成することが可能となるよう割当て及び格納を行うステップとを有することを特徴とする方法。
【請求項６】
請求項５記載の複製検出方法であって、前記記録キャリアを一意的に特定する一意的識別子が前記サブコードフレームに格納され、前記チェック信号が前記サブコードフレーム内に追加的同期シンボルが存在することを示す場合にのみ前記一意的識別子を出力することを特徴とする方法。
【請求項７】
請求項５記載の複製検出方法であって、前記チェック信号が前記サブコードフレーム内に追加的同期シンボルが存在しないことを示す場合、前記記録キャリアの複製は行われないことを特徴とする方法。
【請求項８】
請求項５記載の複製検出方法であって、追加的同期シンボルは、各サブコードフレームに、特に各サブコードフレームの終端に格納されることを特徴とする方法。
【請求項９】
請求項５記載の複製検出方法であって、前記サブコードフレームは、特にＣＤオーディのためのレッドブックあるいはＣＤ−ＲＯＭのためのイエローブックに規定されるようなサブコードＱチャネルの一部であることを特徴とする方法。
【請求項１０】
請求項５記載の複製検出方法であって、前記サブコードフレームに格納される前記データシンボルは一意的識別子と誤り訂正データを有し、前記追加的同期シンボルは前記一意的識別子あるいは前記誤り訂正データを犠牲にして前記少なくとも１つのサブコードフレームに格納されることを特徴とする方法。
【請求項１１】
特に請求項１に従う記録キャリア複製保護方法であって、
各自が内部の所定の位置に同期シンボルとデータシンボルを有するサブコードチャネルの複数のサブコードフレームに前記記録キャリア上のサブコードデータを格納するステップと、
データシンボルに与えられた位置における少なくとも１つのサブコードフレームに任意数の追加的同期シンボルを、前記サブコードチャネルの読み出し中、前記追加的同期シンボルの有無を示すチェック信号を生成することが可能となるよう割当て及び格納を行うステップとを有することを特徴とする方法。
【請求項１２】
コンテンツ一覧エントリがマスタ処理される記録キャリアの読み出し方法であって、
前記コンテンツ一覧エントリを読むステップと、
前記コンテンツ一覧エントリが規格による方法あるいは規格外の方法によりマスタ処理されたかチェックするステップと、
前記コンテンツ一覧エントリが規格による方法あるいは規格外の方法によりマスタ処理されたか示す信号を出力するステップとを有することを特徴とする方法。
【請求項１３】
請求項１２記載の読み出し方法であって、前記記録キャリアから読み出された前記記録キャリアを一意的に特定する一意的識別子は、前記コンテンツ一覧エントリが規格外の方法によりマスタ処理されている場合のみ、出力されることを特徴とする方法。
【請求項１４】
請求項１２記載の読み出し方法であって、前記記録キャリアの複製は、前記コンテンツ一覧エントリが規格外の方法によりマスタ処理されている場合には、行われないようにすることを特徴とする方法。
【請求項１５】
請求項１２記載の読み出し方法であって、前記記録キャリア上のサブコードデータは、各自が内部の所定の位置に同期シンボルとデータシンボルを有するサブコードチャネルの複数のサブコードフレームに格納され、さらに、
前記サブコードチャネルを読み出すステップと、
追加的同期シンボルがデータシンボルに与えられた位置における少なくとも１つのサブコードフレームに格納されているかチェックするステップと、
前記追加的同期シンボルが少なくとも１つのサブコードフレームに存在するか示すチェック信号を出力するステップとを有することを特徴とする方法。
【請求項１６】
サブコードデータが各自が内部の所定の位置に同期シンボルとデータシンボルを有するサブコードチャネルの複数のサブコードフレームに格納される記録キャリアの読み出し方法であって、
前記サブコードチャネルを読み出すステップと、
追加的同期シンボルがデータシンボルに与えられた位置における少なくとも１つのサブコードフレームに格納されているかチェックするステップと、
前記追加的同期シンボルが少なくとも１つのサブコードフレームに存在するか示すチェック信号を出力するステップとを有することを特徴とする方法。
【請求項１７】
コンテンツ一覧エントリがマスタ処理された記録キャリアの複製検出装置であって、
前記コンテンツ一覧エントリが検出可能な規格外の方法によりマスタ処理されるように、前記記録キャリア上の前記コンテンツ一覧エントリのマスタ処理を制御する制御手段を有することを特徴とする装置。
【請求項１８】
特に請求項８に従う記録キャリアの複製保護装置であって、
各自が内部の所定の位置に同期シンボルとデータシンボルを有するサブコードチャネルの複数のサブコードフレームに前記記録キャリア上のサブコードデータを格納する格納手段と、
データシンボルに与えられた位置における少なくとも１つのサブコードフレームに任意数の追加的同期シンボルを、前記サブコードチャネルの読み出し中、前記追加的同期シンボルの有無を示すチェック信号を生成することが可能となるよう割当て及び格納を行う割当て手段とを有することを特徴とする装置。
【請求項１９】
コンテンツ一覧エントリがマスタ処理される記録キャリアの読み出し装置であって、
前記コンテンツ一覧エントリを読む読み出し手段と、
前記コンテンツ一覧エントリが規格による方法あるいは規格外の方法によりマスタ処理されたかチェックするチェック手段と、
前記コンテンツ一覧エントリが規格による方法あるいは規格外の方法によりマスタ処理されたか示す信号を出力する出力手段とを有することを特徴とする装置。
【請求項２０】
サブコードデータが各自が内部の所定の位置に同期シンボルとデータシンボルを有するサブコードチャネルの複数のサブコードフレームに格納される記録キャリアの読み出し装置であって、
前記サブコードチャネルを読み出す読み出し手段と、
追加的同期シンボルがデータシンボルに与えられた位置における少なくとも１つのサブコードフレームに格納されているかチェックするチェック手段と、
前記追加的同期シンボルが少なくとも１つのサブコードフレームに存在するか示すチェック信号を出力する出力手段とを有することを特徴とする装置。
【請求項２１】
コンテンツ一覧エントリがマスタ処理される記録装置であって、前記コンテンツ一覧エントリは、検出可能な規格外の方法によりマスタ処理されることを特徴とする記録キャリア。
【請求項２２】
サブコードデータが各自が内部の所定の位置に同期シンボルとデータシンボルを有するサブコードチャネルの複数のサブコードフレームに格納される記録キャリアであって、
任意数の追加的同期シンボルが、前記サブコードチャネルの読み出し中、前記追加的同期シンボルの検出に応答してチェック信号を生成することができるように、データシンボルに与えられる位置における少なくとも１つのサブコードフレームに割当て及び格納されることを特徴とする記録キャリア。
【請求項２３】
請求項１、１１、１２または１６記載の方法を実現するためのコンピュータプログラムであって、
前記コンピュータプログラムがコンピュータ上で実行されるとき、コンピュータに請求項１、１１、１２または１６記載の方法のステップを実行させるプログラムコード手段を有することを特徴とするプログラム。
【発明の詳細な説明】
【技術分野】
【０００１】
本発明は、コンテンツ一覧（ＴＯＣ）入力がマスタ処理（ｍａｓｔｅｒｅｄ）される記録キャリアの複製検出方法に関する。本発明はさらに、そのような記録キャリアの対応する装置、そのような記録キャリア自体及び当該方法を実現するコンピュータプログラムへの読み出し方法に関する。
【背景技術】
【０００２】
ＷＯ００/７４０５３Ａ１は、データ読取器により利用可能な制御データが符号化されているデジタルオーディオＣＤの複製保護方法を開示している。ディスクを複製保護するため、選択された制御データは不適当及び/または不正確に与えられる。従って、オーディオＣＤは通常オーディオプレーヤー上で再生可能であるが、不適当なデータによりＰＣのＣＤ−ＲＯＭドライブのようなデータ読取器では再生不可なオーディオＣＤが実行されてしまう。ここで開示される一実施例では、Ａｔｉｍｅをディスクプログラム領域の開始からゼロへのリードアウト（ｌｅａｄ−ｏｕｔ）まで設定することにより、あるいはオーディオトラックを誤ってデータトラックとして認識することにより、ＣＤのコンテンツ一覧のデータが不適切に与えられてしまう。
【発明の開示】
【発明が解決しようとする課題】
【０００３】
オリジナルの記録キャリアと複製された記録キャリアとを容易に区別するのに利用可能な販売業者による記録キャリアの一意的な識別子あるいは当該記録キャリアの販売時点を生成することがしばしば望まれる。従って、本発明の課題は、再生装置による記録キャリアのオリジナルと複製との区別を可能にするが、例えば、オーディオＣＤへのアクセス時にＣＤ−ＲＯＭドライブなどのデータ読取器により再生不可な複製を一般には与えない記録キャリアの複製検出及び保護方法を提供することにある。さらに、記録キャリアなどの対応する読み出し方法が提供される。
【０００４】
本発明により、この課題は、コンテンツ一覧の入力が規格外の検出可能な方法により記録キャリアにマスタ処理される請求項１記載の方法により達成される。これは、コンテンツ一覧自体が従来の再生装置によりアクセス可能かつ可読であるということを意味している。しかしながら、ファームウェアの変更後、コンテンツ一覧の入力が規格あるいは規格外の方法によりマスタ記録されているかチェックすることにより、当該記録キャリアがオリジナルのものであるか、あるいは複製であるか検出することが可能となる。ＴＯＣエントリが規格外の方法によりマスタ処理されている記録キャリアへのアクセスを行う従来の再生装置は、当該記録キャリアをＣＤ−Ｒ/ＲＷなどの記録可能あるいは書き換え可能な記録キャリアにコピーするとき、ＴＯＣエントリが規格による方法で書き込まれるように、適切なＴＯＣテーブルを規格による方法により再構成する。ここで、「規格外（ｎｏｎ−ｓｔａｎｄａｒｄ）」という用語は、従来の再生装置によるコンテンツ一覧の読み出しが依然として可能であるが、ファームウェア変更後の検出が可能なコンテンツ一覧に対するすべての可能な変更をカバーする。これに関連して、「規格による方法」という用語は、記録キャリア上のＴＯＣエントリをマスタ処理するとき従来利用される任意の方法、すなわち、ＣＤオーディオ用のレッドブックやＣＤ−ＲＯＭ用のイエローブックなどの対応する規格に規定される方法、あるいは特定タイプの記録キャリアの製造業者やユーザにより合意されている方法を意味する。
【０００５】
本発明の好適な実施例は従属クレームにより定義されている。コンテンツ一覧のエントリがマスタ処理される記録キャリアの読み出し方法はクレーム１１に規定され、
−コンテンツ一覧のエントリを読み出すステップと、
−前記コンテンツ一覧のエントリが規格あるいは規格外の方法によりマスタ処理されているかチェックするステップと、
−前記コンテンツ一覧のエントリが規格あるいは規格外の方法によりマスタ処理されているか示す信号を出力するステップとを有する。
【０００６】
対応する複製検出装置及び記録キャリアの読み出し装置がクレーム１５と１６に定義される。本発明による記録キャリアはクレーム１７に定義されている。本発明はさらに、クレーム１８に記載されるような本発明による方法を実現するためのコンピュータプログラムに関する。
【０００７】
ユーザによるＴＯＣエントリの編集、それらの相対位置の変更及び新たなＴＯＣエントリの追加を可能にする利用可能なハッカーソフトウェアがある。クレーム２乃至４に規定されるような本発明の好適な実施例によると、そのようなハッキングソフトウェアの可能性を超えるか、あるいは直接的な方法による実現が不可能なＴＯＣエントリを記録キャリアにマスタ処理する規格外の方法が選択される。例えば、そのようなハッキングソフトウェアは、ＣＤオーディオに対しては常に３回であるＴＯＣエントリの繰り返し回数の変更を不可とし、例えば、サブコードＱモード２（ｓｕｂｃｏｄｅ−Ｑ  ｍｏｄｅ−２）フレームの複製を不可にする。一般に、ＴＯＣの任意の変更はリードイン領域全体に影響を与える。
【０００８】
複製とオリジナルの記録キャリアを識別する可能性を提供するさらなる方法あるいは他の方法がクレーム５に規定され、
−記録キャリア上のサブコードデータを、各自が内部の所定の位置における同期シンボル及びデータシンボルを有するサブコードチャンネルの複数のサブコードフレームに格納するステップと、
−前記サブコードチャンネルの読み出し中にデータシンボルに与えられる位置における少なくとも１つのサブコードフレームへの任意数の追加的な同期シンボルの有無を示すチェック信号を生成することができるように、前記追加的な同期シンボルの割当て及び格納を行うステップとを有する。
【０００９】
上記実施例によると、早過ぎる段階で同期が検出されることを示す追加的な同期シンボルの検出に応答して、読み出し中にチェック信号として割り込みを生成することができる。そのような追加的な同期シンボルは適切なサブコードバイト値に対応していないため、追加的な同期シンボルをコピーすることはできない。そのような追加的な同期シンボルを有する記録キャリアが複製されるとき、この追加的な同期シンボルはおそらく０である適切なサブコードバイト値にマッピングされる。その結果、コピーされた記録キャリアは、オリジナルとコピーとの識別を可能にする追加的な同期シンボルを持たない。さらなる好適な実施例がクレーム６乃至１０に規定される。
【発明を実施するための最良の形態】
【００１０】
本発明が図面を参照してより詳細に説明される。
【００１１】
図１は、ＴＯＣエントリを規格外の方法によりどのように書き込むことができるかを示す。左側の列に示されるように、例えば、ＴＯＣエントリＡ０などの各ＴＯＣエントリが、以降３回書き込まれる。しかしながら、規格による方法ではＴＯＣエントリＡ０を３回書き込んだ後にＡ１が書き込まれるが、すべてのＴＯＣエントリをＲＯＭディスクなどの記録キャリアに書き込むとき、Ａ１とＡ２ポインタを交換することによりこのシーケンスはミックスされる。上記方法は、特にＴＯＣエントリをモード１によりマスタ処理するため、ＣＤオーディオやＣＤ−ＲＯＭに適用可能である。
【００１２】
そのような記録キャリアへのアクセス時に、ドライブは規格による方法によりＴＯＣエントリを通常再構成する。すなわち、そのような記録キャリアの複製時、ドライブは右側の列に示されるように、規格による方法によりＴＯＣエントリの書き込みを行う。
【００１３】
検出可能な規格外の方法によるＴＯＣエントリのマスタ処理のための他の方法には、多数のフレーム上に拡がるミックスしたパターンの利用、あるいはＣＤオーディやＣＤ−ＲＯＭに対しては３回である標準的回数とは異なる回数のＴＯＣエントリの少なくとも一部またはすべてのＴＯＣエントリの受信が含まれる。さらに、ＴＯＣエントリは、規格外の方法により、例えば、光学記録キャリアのリードインの一部のみなどの制限された領域にマスタ処理されてもよい。
【００１４】
図２には、第１実施例による規格外の方法によりＴＯＣエントリを書き込むエンコーダが示される。その中のコンテンツは、メインチャネルデータユニット１によりメインチャネルデータに符号化され、コンテンツ一覧情報やトラックタイミング情報などの追加的な情報がサブコードデータユニット２によりサブコードデータに符号化される。本発明による変調信号により決定可能なＴＯＣエントリの書き込み順序を調整するためのＴＯＣ順序変調器３が与えられる。このＴＯＣ順序変調器３は、ＴＯＣエントリの書き込み方法を他の任意の規格外の方法に変更するよう設計することができる。さらに、ＥＦＭ変調器４が、メインチャネルデータ及びサブコードデータをレーザビームレコーダ５によるディスク上に最終的に記録されるチャネルビットストリームにインタリーブ処理及び変調処理を行うため与えたれる。
【００１５】
図３は、ＴＯＣ書き込み方法の検出のために構成された本発明によるデコーダの第１実施例を示す。そこにはディスクに対するアクセス及び読み出し処理を行う光ピックアップユニット６が備えられる。読み出されたチャネルビットストリームは、メインチャネルデータユニット８により処理されるメインチャネルデータと、サブコードデータユニット９により処理される実コンテンツ及びサブコードデータに、ＥＦＭ復調器７により復調される。このサブコードデータはまた、ＴＯＣエントリの書き込み方法を検出する、すなわち、ＴＯＣエントリが規格による方法あるいは規格外の方法により書き込まれたか検出するＴＯＣ順序復調器１０に備えられる。その結果として、アクセスされたディスクがオリジナルのものであるか（ＴＯＣエントリが規格外の方法により書き込まれているか）、あるいは複製であるか（ＴＯＣエントリが規格による方法により書き込まれているか）を示す復調信号が出力される。この情報は、一意的なディスク識別子の出力の許可または不許可あるいは、当該ディスクのさらなる複製の許可または不許可を行うために利用することができる。
【００１６】
図４及び図５を参照するに、再生装置によるオリジナルと複製との識別を可能にするさらなる実施例が説明される。図４は、本実施例によるＱチャネルサブコードフレームを示す。このサブコードフレームは、合計９８ビットから構成され、同期シンボルＳ０とＳ１（２ビット）を有する同期フィールド２０、制御フィールド２１（４ビット）、アドレスフィールド２２（４ビット）、ペイロードフィールド２３（７０ビット）、ＣＲＣ（Ｃｙｃｌｉｃ  Ｒｅｄｕｎｄａｎｃｙ  Ｃｈｅｃｋ）フィールド２４（１６ビット）、及び追加的同期シンボルＳ０とＳ１（２ビット）を有する付加的な同期フィールド２５の複数のフィールドを備える。本実施例によると、フィールド２５の追加的サブコード同期シンボルは、マスタリング中にサブコードＱチャネルのモード６で追加される。この追加的同期シンボルにもかかわらず、当該サブコードフレームの残りのサブコードデータと共にメインチャネルデータが正確に抽出することができる。しかしながら、追加的同期シンボルの複製は、有効なサブコードバイト値がないため、特に検出器がサブコードフレーム内のそのような位置において同期シンボルを検出する見込みがないという理由から不可能である。さらに、検出器は、検出した追加的同期シンボルを適切なサブコードデータシンボルに、すなわち、０のシンボル値を有するサブコードデータシンボルに訂正する。
【００１７】
追加的同期シンボルの検出は、「早過ぎる同期（ｓｙｎｃｈｒｏｎｉｚａｔｉｏｎ  ｔｏｏ  ｅａｒｌｙ）」あるいは同様の合図を知らせる割込みにより実行することができる。ドライブのファームウェアは、追加的同期シンボルが検出された場合には、単にＵＤＩ（Ｕｎｉｑｕｅ  Ｄｉｓｃ  Ｉｄｅｎｔｉｆｉｅｒ）やＲＯＭディスク識別子などのペイロードを外部に提供することにより、そのような割込みや同様の合図を利用することができる。
【００１８】
図５は、補助データフィールド２６の補助データビットＡＵＸの計算方法を示す。第１ステップにおいて、補助データビットＡＵＸは０（０ｘ００）に設定され、ＣＲＣフィールド２７（１６ビット）のＣＲＣビットは制御フィールド２１、アドレスフィールド２２、ペイロードフィールド２３及びＡＵＸフィールド２６上で計算される。ＣＲＣフィールド２７、すなわち、計算されたＣＲＣビットの最後の２ビットがＡＵＸフィールド２６に配置され、第２ステップにおいて、ＣＲＣフィールド２７のＣＲＣビットが制御フィールド２１、アドレスフィールド２２、ペイロードフィールド２３、及び現時点では新たな補助データ（０ｘ０３）を有するＡＵＸフィールド２６上で再計算される。
【００１９】
結果として得られる１６ビットのＣＲＣデータは、最後の２ビット（ビット１と０）が０となる性質を備える。計算されたＣＲＣデータの最初の１４ビットのＣＲＣビットは最終的にＣＲＣフィールド２８（１４ビット）に配置され、ＥＦＭフレームの最後の２ビットのサブコードビットは追加的同期シンボルＳ０とＳ１（フィールド２５）により置換される。
【００２０】
検出中、これらの追加的同期ビットは、Ｑチャネルのゼロ値を有する２ビットを与え、早過ぎる同期による割込みを招くことが最も確率が高い。ディスクが「ｒａｗ」複製されるとき、最後の２ビットは０であるが、複製の検出中には早過ぎる同期による割込みは存在しないであろう。Ｑチャネルコンテンツの読み出し結果は、オリジナルディスクとｒａｗ複製処理により作成されたディスクに対して同様のものとなるであろう。
【００２１】
図６は、追加的同期シンボルを利用する本発明の第２実施例によるエンコーダのブロック図を示す。図２に示されるエンコーダと比較して、追加的同期生成装置１１は、ＴＯＣ順序変調器の代わりに、特定のあるいはすべてのサブコードチャネルの追加的同期シンボルの生成及び埋め込みを行うため備えられる。このとき、図７に示されるようなデコーダのＥＦＭ復調器７は、同期シンボルが見込まれないフレーム内の位置におけるそのような追加的同期シンボルの検出に応答して、「早過ぎる同期」による割込みを生成することができる。この割込みは、当該ディスク自体あるいはサブコードデータユニット９から受信したディスクＩＤデータ（ＵＤＩデータなど）を検証するＲＯＭ検証ユニットに備えることができる。すなわち、このディスクデータＩＤが、アクセスされたディスクが複製でなくオリジナルであるということを示す「早過ぎる同期」による割込みが受信された場合、ディスクＩＤデータが出力されるようにディスクＩＤデータの出力を制御することができる。
【００２２】
本発明は、上述の実施例に限定されない。例えば、規格外の方法によるＴＯＣエントリのマスタ処理及び追加的同期シンボルの利用というアイディアは、オリジナルと複製との識別の安全性をさらに高めるために同時に使用することもできる。さらに、追加的同期シンボルの埋め込み方法、サブコードフレーム内のそのシンボル数および位置は示された実施例と異なるものであってもよい。
【図面の簡単な説明】
【００２３】
【図１】図１は、規格外の方法によるＴＯＣエントリのマスタ処理を示す。
【図２】図２は、本発明の第１実施例によるエンコーダのブロック図を示す。
【図３】図３は、本発明の第１実施例によるデコーダのブロック図を示す。
【図４】図４は、本発明による追加的同期シンボルを有するＱチャネルサブコードフレームを示す。
【図５】図５は、そのようなサブコードフレームのＣＲＣシンボルの計算を示す。
【図６】図６は、本発明の第２実施例によるエンコーダのブロック図を示す。
【図７】図７は、本発明の第２実施例によるデコーダのブロック図を示す。
【図１】
2005523545.tif 000003
【図２】
2005523545.tif 000004
【図３】
2005523545.tif 000005
【図４】
2005523545.tif 000006
【図５】
2005523545.tif 000007
【図６】
2005523545.tif 000008
【図７】
2005523545.tif 000009
【国際調査報告】
2005523545.tif 000010
2005523545.tif 000011
2005523545.tif 000012
2005523545.tif 000013
2005523545.tif 000014